(57)【要約】【課題】通信障害の発生を防止する。【解決手段】波長選択スイッチ１１−１〜１１−ｎは、制御部１４の指示にもとづいて、入力ポートＰ１〜Ｐｋから入力した入力光をモニタポートＰｍ１〜Ｐｍｎから出力する。モニタ部１３は、合波部１２の出力光の中に、入力光と同一の波長があるか否かをモニタする。制御部１４は、同一波長の光がないと認識された場合には、入力光を送信ポートＰｏ１〜Ｐｏｎから出力させるように波長選択スイッチ１１−１〜１１−ｎのスイッチ制御を行う。【選択図】図１
2010245993.tif 000002
【特許請求の範囲】
【請求項１】
複数の入力ポートと、スイッチ後の光を波長多重して出力する送信ポートと、前記入力ポートから入力した光をモニタ用に出力するモニタポートと、を備えた複数の波長選択スイッチと、
前記複数の波長選択スイッチの各送信ポートから出力された光を合波して出力する合波部と、
前記モニタポートから出力される光と、前記合波部の出力光との波長をモニタするモニタ部と、
制御部と、
を備え、
前記波長選択スイッチは、前記制御部の指示にもとづいて、前記入力ポートから入力した光を前記モニタポートから出力し、
前記モニタ部は、前記合波部の出力光の波長の中に、前記モニタポートの出力光の波長と同一の波長が存在するか否かをモニタし、
前記制御部は、同一波長の光が存在しないと認識した場合には、前記モニタポートの出力光を前記送信ポートから出力させるように、前記波長選択スイッチのスイッチ制御を行う、
ことを特徴とする光伝送装置。
【請求項２】
前記入力ポートに入力する光を検出して検出信号を出力する光検出部をさらに備え、
前記制御部は、前記検出信号を受信すると、波長増設が検出された該当の前記入力ポートに入力される全波長の光が前記モニタポートから出力できるように、前記入力ポートと前記モニタポートとを接続させるスイッチ指示を与えることを特徴とする請求項１記載の光伝送装置。
【請求項３】
前記制御部は、複数の前記入力ポートのうちで、既に波長増設された前記入力ポートを除いた、波長増設がされていない前記入力ポートである未増設入力ポートに対して、
前記未増設入力ポートに入力される全波長の光が前記モニタポートから出力できるように、前記未増設入力ポートと前記モニタポートとを一定周期毎に順次接続させるスイッチ指示を与えることを特徴とする請求項１記載の光伝送装置。
【請求項４】
前記制御部は、同一波長の光が存在すると認識された場合であって、
前記入力ポートから入力した入力光を既設の同一波長の光と入れ替える場合には、前記波長選択スイッチに対して、前記既設の同一波長の光が入力する前記入力ポートから前記送信ポートへの、前記既設の同一波長の光の経路の接続を切断し、前記入力光が入力している前記入力ポートから前記送信ポートへの経路を接続するスイッチ制御を行い、
前記入力光を前記既設の同一波長の光と入れ替えない場合には、前記波長選択スイッチに対して、前記入力光が入力している前記入力ポートから前記モニタポートへの、全波長の光の経路の接続を切断するスイッチ制御を行う、
ことを特徴とする請求項１記載の光伝送装置。
【請求項５】
前記制御部は、前記モニタ部により、前記合波部の出力光の中で、断となった波長の光が検出された場合、前記波長選択スイッチに対して、断が生じた波長の光が入力していた前記入力ポートから前記送信ポートへの、全波長の光の経路の接続を切断するスイッチ制御を行い、
前記制御部は、前記合波部の出力光の中で波長減設を認識した場合、減設が設定された波長の光が入力していた前記入力ポートから前記送信ポートへの、減設波長の光の経路の接続を切断するスイッチ制御を行う、
ことを特徴とする請求項１記載の光伝送装置。
【請求項６】
前記波長選択スイッチは、前記入力ポートから前記送信ポートへの経路の接続を行う場合は、減衰量を段階的に小さくしながら経路の接続を行い、前記入力ポートから前記送信ポートへの経路の切断を行う場合は、減衰量を段階的に大きくしながら経路の切断を行うことを特徴とする請求項１記載の光伝送装置。
【請求項７】
複数の入力ポートと、スイッチ後の光を波長多重して出力する送信ポートと、前記入力ポートから入力した光をモニタ用に出力するモニタポートと、を備えた光クロスコネクトスイッチと、
前記光クロスコネクトスイッチの送信ポートから出力された光を合波して出力する合波部と、
前記モニタポートから出力される光と、前記合波部の出力光との波長をモニタするモニタ部と、
制御部と、
を備え、
前記光クロスコネクトスイッチは、前記制御部の指示にもとづいて、前記入力ポートから入力した光を前記モニタポートから出力し、
前記モニタ部は、前記合波部の出力光の波長の中に、前記モニタポートの出力光の波長と同一の波長が存在するか否かをモニタし、
前記制御部は、同一波長の光が存在しないと認識した場合には、前記モニタポートの出力光を前記送信ポートから出力させるように、前記光クロスコネクトスイッチのスイッチ制御を行う、
ことを特徴とする光伝送装置。
【請求項８】
前記制御部は、同一波長の光が存在すると認識された場合、切断すべき波長の光をブロッキングするスイッチ指示を与え、前記光クロスコネクトスイッチは、前記スイッチ指示にもとづき、切断すべき波長の光が入力している前記入力ポートを未使用の出力ポートに折り返し接続することを特徴とする請求項７記載の光伝送装置。
【発明の詳細な説明】
【技術分野】
【０００１】
本発明は、光伝送を行う光伝送装置に関する。光伝送として、例えば、ＷＤＭ（Wavelength Division Multiplexing：波長分離多重）伝送が含まれる。
【背景技術】
【０００２】
従来、ＷＤＭ伝送を行う光通信システムでは、入出力ポートに対して、特定の波長の光のみを入出力させる固定的な波長割り当てが行われていた。一方、近年になって、入出力ポートに対して波長との関係に固定性のない、波長の動的接続を可能としたシステムが開発されている。
【０００３】
固定的な波長割り当てとは、例えば、ポートＰ１には常に波長λ１の光が接続される（入力される）といったものである。一方、動的な波長割り当てとは、例えば、ポートＰ１には、波長λ１〜λｎの光のいずれも自由に接続できる（入力できる）といったものである。
【０００４】
前者は、波長に依存するＷＤＭ伝送なので、Colored WDMと呼ばれ、後者は、波長に依存しないＷＤＭ伝送なので、Colorless WDMと呼ばれている。従来のＷＤＭシステムは、Colored WDMが主流であったが、今後は、運用度の高いColorless WDMの要求が増加してくるものと予想され、これに伴い、光スイッチング技術の高機能化の要求が高まっている。
【０００５】
従来技術としては、可変帯域チューナブルフィルタを使用して、入力光から隣接チャネルの調整可能な波長バンドを選択し、カラーレスデマルチプレクサを使用して、該隣接チャネルの波長バンドを個々のドロップされたチャネルに分離する技術が提案されている。
【先行技術文献】
【特許文献】
【０００６】
【特許文献１】特表２００８−５０３９２１号公報（段落番号〔０００７〕、第１図）
【発明の概要】
【発明が解決しようとする課題】
【０００７】
Colorless WDMにおいて、ＭＵＸ（波長多重）やＤＥＭＵＸ（波長分離）の機能は、光スイッチング制御によって実現されており、一般的なデバイスとしては、波長選択スイッチ（ＷＳＳ：Wavelength Selective Switch）が広く用いられている。
【０００８】
ＭＵＸ／ＤＥＭＵＸに対して、ＡＷＧ（Arrayed Waveguide Grating）等のパッシブ部品を使用するのではなく、ＷＳＳを用いることで、任意の波長の光をどのポートからでも入力して、波長多重・分離を実行することが可能になる。
【０００９】
図１８はＡＷＧを示す図であり、図１９はＷＳＳを示す図である。ＡＷＧ５０とＷＳＳ６０の波長割当機能の違いを示している。ＡＷＧ５０及びＷＳＳ６０は共に、入力ポート数が８、出力ポート数が１の８×１スイッチ機能を有しているとする。
【００１０】
Colored WDMで広く使用されているＡＷＧ５０では、ＡＷＧ５０の入力ポートには、入力される光の波長の値が常に固定的に決められる。ＡＷＧ５０による波長多重動作時、入力ポートＰ１〜Ｐ８のそれぞれに対して、波長λ１〜λ８（λ１〜λ８は波長がそれぞれ異なる）の光の入力が割り当てられたとすると、この波長割り当ては固定的となる。したがって、例えば、入力ポートＰ１〜Ｐ８のそれぞれに対して、逆の入力順に波長λ８〜λ１の光を割り当てるといったようなことはできない。
【００１１】
これに対し、Colorless WDMのＷＳＳ６０では、個々の入力ポートに任意の波長の光を割り当てることが可能なため、例えば、入力ポートＰ１〜Ｐ８のそれぞれに対して、波長λ１〜λ８の光の入力を割り当てたり、または入力ポートＰ１〜Ｐ８のそれぞれに対して、逆の入力順に波長λ８〜λ１の光を割り当てたりすることが可能である。
【００１２】
このように、ＷＳＳでは、個々の入力ポートには任意の所定の波長の光を入力することができる。ただし、同一ＷＳＳの入力ポート群の中では、互いに異なる波長の光を入力することが必要となる。
【００１３】
図２０はＷＳＳの入力ポート群に対して同一波長の光の入力禁止を示す図である。ＷＳＳ６０には、８つの入力ポートＰ１〜Ｐ８があるので、それらの入力ポートに対して、互いに異なる波長λ１〜λ８の光を任意のポートに入力することができる。しかし、例えば、入力ポートＰ１〜Ｐ７には、互いに異なる波長λ１〜λ７の光を任意に入力し、入力ポートＰ８に波長λ１の光を入力するといったように、同一ＷＳＳ６０の入力ポート群に同じ波長（ここではλ１）の光を入力することは許されない。
【００１４】
このように、ＷＳＳでは、入力ポート群に対して、異なる波長の光であれば、どの入力ポートからどの波長の光を入力してもよいが、ＷＳＳの構成上、同じ波長の光を入力するとＷＳＳ内部の出力側で衝突が生じて干渉を引き起こすため、同一波長の光を入力することはできない。したがって、Colorless WDMでは、各ＷＳＳの入力ポート群には同一波長の光が入力しないように、システム構築を行うことが重要である。
【００１５】
しかし、例えば、ＷＳＳが多段に接続されて、システム構成が複雑化してくると、単一ＷＳＳの入力ポート群には同一波長の光は入力しない構成になっていても、複数のＷＳＳでスイッチングされた後の出力段で同一波長の光の衝突が生じる恐れがあった。
【００１６】
図２１は問題点を示す図である。ノードｎ１には、８×１のＷＳＳ６１ａと合波部６２とが含まれ、ノードｎ２には、８×１のＷＳＳ６１ｂが含まれる。ＷＳＳ６１ａは、入力ポートＰ１〜Ｐ８から入力された波長の光を選択して出力ポートＰ９から出力する。ＷＳＳ６１ｂは、入力ポートＰ１０〜Ｐ１７から入力されたそれぞれの波長の光を選択して出力ポートＰ１８から出力する。合波部６２は、出力ポートＰ９からの出力光と、出力ポートＰ１８からの出力光とを合波して外部へ出力する。
【００１７】
ここで、ＷＳＳ６１ａの入力ポートＰ１〜Ｐ８には、互いに異なる波長λ１〜λ８の光を入力し、ＷＳＳ６１ｂの入力ポートＰ１０〜Ｐ１７には、互いに異なる波長λ１、λ９〜λ１５の光を入力したとする。この場合、ＷＳＳ６１ａ、６１ｂの各入力ポート群には、それぞれ互いに異なる波長の光が入力されているので、ＷＳＳ内部で衝突が生じることはない。しかし、ＷＳＳ６１ａがλ１の光を出力し、ＷＳＳ６１ｂがλ１の光を出力すると、合波部６２において同一波長の光の衝突が生じてしまう。
【００１８】
このように、１つの８×１ＷＳＳ６１ａ、６１ｂのそれぞれの入力ポート群に対して、たとえ同一波長の光が入力しないように構成されていても、上記のように１６×１のＷＳＳに拡張したような場合、ＷＳＳ６１ａ、６１ｂの出力合波部で同一波長の光が衝突する可能性があった。このため、システムの運用中、同一波長の光の衝突が生じているか否かを常時監視して、通信障害の抑制を図る高信頼・高品質なＷＤＭ伝送を行うシステムの開発が求められている。
【００１９】
本発明はこのような点に鑑みてなされたものであり、同一波長の光の衝突による通信障害の発生を防止する光伝送装置を提供することを目的とする。
【課題を解決するための手段】
【００２０】
上記課題を解決するために、光伝送装置が提供される。この光伝送装置は、複数の入力ポートと、スイッチ後の光を波長多重して出力する送信ポートと、前記入力ポートから入力した光をモニタ用に出力するモニタポートと、を備えた複数の波長選択スイッチと、前記複数の波長選択スイッチの各送信ポートから出力された光を合波して出力する合波部と、前記モニタポートから出力される光と、前記合波部の出力光との波長をモニタするモニタ部と、制御部とを備える。
【００２１】
ここで、波長選択スイッチは、制御部の指示にもとづいて、入力ポートから入力した光をモニタポートから出力し、モニタ部は、合波部の出力光の波長の中に、モニタポートの出力光の波長と同一の波長が存在するか否かをモニタし、制御部は、同一波長の光が存在しないと認識した場合には、モニタポートの出力光を送信ポートから出力させるように、波長選択スイッチのスイッチ制御を行う。
【発明の効果】
【００２２】
通信障害の発生を防止することが可能になる。
【図面の簡単な説明】
【００２３】
【図１】光伝送装置の構成例を示す図である。
【図２】ＷＳＳの構成を示す図である。
【図３】ＷＤＭシステムの構成を示す図である。
【図４】波長増設時の動作を示すフローチャートである。
【図５】波長断時の動作を示すフローチャートである。
【図６】波長減設時の動作を示すフローチャートである。
【図７】ＷＤＭシステムの構成を示す図である。
【図８】波長設定更新時の動作を示すフローチャートである。
【図９】波長設定更新時の動作を示すフローチャートである。
【図１０】ＷＤＭシステムの構成を示す図である。
【図１１】ＯＸＣを用いてＷＤＭ伝送を行う構成を示す図である。
【図１２】ＯＸＣを用いてＷＤＭ伝送を行う構成を示す図である。
【図１３】波長増設時の動作を示すフローチャートである。
【図１４】ＯＸＣを用いてＷＤＭ伝送を行う構成を示す図である。
【図１５】波長設定更新時の動作を示すフローチャートである。
【図１６】波長設定更新時の動作を示すフローチャートである。
【図１７】ＯＸＣによる切断波長のブロッキングの様子を示す図である。
【図１８】ＡＷＧを示す図である。
【図１９】ＷＳＳを示す図である。
【図２０】ＷＳＳの入力ポート群に対して同一波長の光の入力禁止を示す図である。
【図２１】問題点を示す図である。
【発明を実施するための形態】
【００２４】
以下、本発明の実施の形態を図面を参照して説明する。図１は光伝送装置の構成例を示す図である。光伝送装置１０は、波長選択スイッチ（以下、ＷＳＳ）１１−１〜１１−ｎ、合波部１２、モニタ部１３、制御部１４及びカプラＣｐを備え、ＷＤＭ伝送を行う装置である。
【００２５】
ＷＳＳ１１−１〜１１−ｎ（総称する場合はＷＳＳ１１とする）はそれぞれ、複数の入力ポートＰ１〜Ｐｋと、スイッチ後の光を出力する送信ポートＰｏ１〜Ｐｏｎと、入力ポートＰ１〜Ｐｋから入力した波長の光をモニタ用に出力するモニタポートＰｍ１〜Ｐｍｎとを備える。
【００２６】
合波部１２は、ＷＳＳ１１−１〜１１−ｎの各送信ポートＰｏ１〜Ｐｏｎから出力された光を合波（多重化）して合波信号（波長多重化信号（ＷＤＭ信号））を生成して出力する。また、カプラＣｐは、合波部１２から出力された合波信号を２分岐し、一方を後段処理部（図示しないが光ポストアンプなど）へ送信し、他方をモニタ部１３へ送信する。
【００２７】
モニタ部１３は、モニタポートＰｍ１〜Ｐｍｎから出力される光と、合波信号とのモニタを行い、モニタ信号によりモニタ結果を制御部１４に通知する。
制御部１４は、モニタ結果にもとづき、ＷＳＳ１１−１〜１１−ｎのスイッチ制御を行う。なお、制御部１４は、ＷＳＳ１１−１〜１１−ｎ以外の構成要素の制御や装置の全体制御も行う。さらにユーザインタフェース機能を有しており、外部からのデータ設定等を行うことも可能である。
【００２８】
ここで、ＷＳＳ１１−１〜１１−ｎは、波長増設時、制御部１４のスイッチ指示にもとづいて、増設された波長の光が入力する入力ポートをモニタポートに接続して、入力波長（増設波長）の光をモニタポートから出力する。
【００２９】
モニタ部１３は、合波信号で波長多重化されている信号光の中に、増設波長と同一の波長の光が存在するか否かをモニタする。制御部１４は、モニタ結果から同一波長の光がなく、同一波長の光の衝突が生じないと認識した場合には、増設波長の光を送信ポートから出力させるように、該当のＷＳＳ１１のスイッチ制御を行う。
【００３０】
一例として、ＷＳＳ１１−１の入力ポートＰ１から波長λ１の光を入力して増設する場合を考える。ＷＳＳ１１−１は、制御部１４のスイッチ指示にもとづいて、増設された波長λ１の光が入力する入力ポートＰ１をモニタポートＰｍ１に内部接続して、増設波長λ１の光をモニタポートＰｍ１から出力する。そして、増設波長λ１の光は、モニタ部１３へ送信される。
【００３１】
モニタ部１３は、合波信号で多重化されている信号光の中に、増設波長λ１の光と同一の波長の光が存在するか否かをモニタする。モニタ結果から同一の波長λ１の光がなく、同一波長の光の衝突が生じないと認識された場合には、制御部１４は、増設波長λ１の光を送信ポートＰｏ１から出力させるように、ＷＳＳ１１−１のスイッチ制御を行う。
【００３２】
そして、合波部１２では、現在の合波信号に対して新たに波長λ１の光を多重化した合波信号を生成して出力することになる（同一波長の光が存在した場合などの制御については後述する）。
【００３３】
なお、ＷＳＳ１１−１〜１１−ｎでは、入力ポート数がｋ、出力ポート数が２（送信ポート１つ、モニタポート１つ）のｋ×２のＷＳＳとしているが、これは、元々Ｎ×１のＷＳＳに対して（Ｎ＝ｋ＋１）、Ｎ個あった入力ポートの内の１つの入力ポートをモニタ用の出力ポート（モニタポート）として使用して、（Ｎ−１）×２のＷＳＳとしたものである。このように、複数入力ポートのうちの１つをモニタ用の出力ポートとして使用したＷＳＳを用いて、ＷＤＭ機能を構成することで、装置規模の縮小化を図ることが可能になる。
【００３４】
光伝送装置１０において、ＷＳＳ１１は、増設波長の光が入力する入力ポートをモニタポートに接続してモニタポートから増設波長の光を出力する。モニタ部１３は、合波信号で多重化されている複数の波長の光の中に、増設波長の光と同一の波長の光があるか否かをモニタし、制御部１４は、同一波長の光がないと認識された場合には、増設波長の光を送信ポートから出力させるようにＷＳＳのスイッチ制御を行う構成とした。
【００３５】
このように、同一波長の光の衝突が生じるか否かのモニタを行った後に、同一波長の光の衝突が生じないと判断した増設波長の光の合波のみを行う構成としたので、複数のＷＳＳの出力が合波する箇所においても同一波長の光の波長衝突による通信障害の発生を防止することができ、高信頼・高品質なＷＤＭ伝送を行うことが可能になる。
【００３６】
次にＷＳＳ１１の構成について説明する。図２はＷＳＳ１１の構成を示す図である。ＷＳＳ１１の内部構成を等価回路で示している。ＷＳＳ１１は、波長分離部１１ａ、波長多重部１１ｂ、メッシュスイッチ１１ｃ、ＶＯＡ（Variable Optical Attenuator）１１ｄを含む。
【００３７】
波長分離部１１ａ及び波長多重部１１ｂは、ＡＷＧで構成され、入力ポート毎に波長分離部１１ａを配置し、出力ポートに波長多重部１１ｅを配置する。波長分離部１１ａは、入力ポートから入力した光を所定の波長出力端から出力する。したがって、入力ポートから波長多重化されたＷＤＭ信号が入力した際には、単一の波長の信号光毎に分離して、それぞれの波長出力端から出力することになる。波長多重部１１ｂは、メッシュスイッチ１１ｃでスイッチングされて、ＶＯＡ１１ｄでレベル調整を受けた後の光を受信して、波長多重化を行って出力する。
【００３８】
メッシュスイッチ１１ｃは、ＭＥＭＳ（Micro Electro Mechanical Systems）型のミラーアレイであって、制御部１４のスイッチ指示にもとづいて、ミラーの角度を変えて、光スイッチングを行う。また、メッシュスイッチ１１ｃは、波長毎に設けられており、例えば、４４波の互いに異なる波長の光のスイッチングを行うのであれば、メッシュスイッチ１１ｃは４４個設けられる。
【００３９】
ＶＯＡ１１ｄは、メッシュスイッチ１１ｃでスイッチングされた後の信号光のレベルを減衰調節する。なお、実際には、メッシュスイッチ１１ｃが、ビームの照射度を変えることによって、光レベルが調節されるものであり、この機能を表す等価回路として、図ではＶＯＡ１１ｄを示しているものである（したがって、ＷＳＳ１１内にＶＯＡが実際の回路として存在しているわけではない）。
【００４０】
次に光伝送装置１０の機能をＷＤＭシステムに適用した場合の構成及び動作について詳しく説明する。図３はＷＤＭシステムの構成を示す図である。ＷＤＭシステム１は、マスタノード１ａとスレーブノード１ｂを含む。
【００４１】
マスタノード１ａは、ＷＳＳ２１−１、合波部２２、ＯＣＭ（Optical Channel Monitor：モニタ部に該当）２３、制御部２４、ＰＤ（Photo Diode）アレイ２５（光検出部に該当）、ＷＳＳ２６、カプラＣｐ、Ｃ１、Ｃ２を備える。スレーブノード１ｂは、ＷＳＳ２１−２、ＷＳＳ２７、ＰＤアレイ２８を備える。
【００４２】
ＷＳＳ２１−１は、入力ポートＰ１〜Ｐ８、Ｐａ、モニタポートＰｍ１、送信ポートＰｏ１を備える。入力ポートＰ１〜Ｐ８は、波長増設用（Ａｄｄ用）のポートであり、入力ポートＰａは、上流から流れてきたＷＤＭ信号が入力するポートである。また、ＷＳＳ２１−２は、入力ポートＰ９〜Ｐ１６、モニタポートＰｍ２、送信ポートＰｏ２を備え、入力ポートＰ９〜Ｐ１６は、波長増設用のポートである。
【００４３】
合波部２２は、ＷＳＳ２１−１の送信ポートＰｏ１から出力された光と、ＷＳＳ２１−２の送信ポートＰｏ２から出力された光とを合波して合波信号を生成する。カプラＣｐは、合波部２２から出力された合波信号を２分岐し、一方を下流側の後段処理部（図示しないが光ポストアンプなど）へ送信し、他方をＯＣＭ２３へ送信する。
【００４４】
下流から送信されたＷＤＭ信号（図示しないが光プリアンプで増幅されている）は、カプラＣ１で３つに分岐され、１つ目の分岐信号光は、上流へ向かって送信され、２つ目の分岐信号光は、カプラＣ２へ送信され、３つ目の分岐信号光は、スレーブノード１ｂのＷＳＳ２７へ送信される。
【００４５】
カプラＣ２は、受信した信号光を２分岐し、一方をＯＣＭ２３へ送信し、他方をＷＳＳ２６へ送信する。ＷＳＳ２６は、カプラＣ２から送信されたＷＤＭ信号を波長分離して、各波長の光を所定の出力ポートからＤｒｏｐする。ＷＳＳ２７は、カプラＣ１から送信されたＷＤＭ信号を波長分離して、各波長の光を所定の出力ポートからＤｒｏｐする。なお、ＷＳＳ２６、２７には、波長を可変的に選択して光を透過するチューナブル・フィルタ・アレイを使用してもよい。
【００４６】
ＯＣＭ２３は、ＷＳＳ２１−１のモニタポートＰｍ１及びＷＳＳ２１−２のモニタポートＰｍ２から出力されたそれぞれの波長の光と、合波部２２で合波されてカプラＣｐで分岐された合波信号とを受信する。
【００４７】
そして、合波信号で多重化されている複数波長の各信号光の中に、ＷＳＳ２１−１のモニタポートＰｍ１から出力した光の波長、またはＷＳＳ２１−２のモニタポートＰｍ２から出力された光の波長と同一の波長の光があるか否かをモニタし、モニタ結果を制御部２４へ通知する。
【００４８】
また、ＯＣＭ２３は、カプラＣ２から分岐された、下流から流れてきたＷＤＭ信号も受信し、ＷＤＭ信号で多重化されている各波長の光のレベルが正常レベルにあるか否かといったモニタも行う。
【００４９】
ＰＤアレイ２５は、入力ポートＰ１〜Ｐ８、Ｐａのそれぞれに接続し、入力ポートＰ１〜Ｐ８、Ｐａのいずれかに光が入力してきた場合には、その光を受信して電気信号に変換し、検出信号を制御部２４へ送信する。制御部２４は、検出信号を受信することにより、どの入力ポートに光が入力したかを認識する。
【００５０】
ＰＤアレイ２８も同様に、入力ポートＰ９〜Ｐ１６のそれぞれに接続し、入力ポートＰ９〜Ｐ１６のいずれかに光が入力してきた場合には、その光を受信して電気信号に変換し、検出信号を制御部２４へ送信する。
【００５１】
次にＷＤＭシステム１の波長増設時の動作についてフローチャートを用いて説明する。図４は波長増設時の動作を示すフローチャートである。
〔Ｓ１〕波長増設として、入力ポートＰ１に新たな波長の信号光が入力される（一例として、入力ポートＰ１に波長増設がなされたとする）。
【００５２】
〔Ｓ２〕ＰＤアレイ２５は、入力ポートＰ１に入力した信号光を検出し、検出信号を制御部２４に送信する。
〔Ｓ３〕制御部２４は、波長増設がなされたことを認識し、ＷＳＳ２１−１の入力ポートＰ１をモニタポートＰｍ１に接続させるためのスイッチ指示をＷＳＳ２１−１に与える。ＷＳＳ２１−１は、このスイッチ指示にもとづいてスイッチング処理を行う。
【００５３】
ここで、ＷＤＭシステム１が波長λ１〜λ４４の最大４４波の波長多重が可能なＷＤＭ伝送を行うとする。この場合、入力ポートＰ１から入力する信号光の波長は、λ１〜λ４４のいずれかとなる。
【００５４】
したがって、ＷＳＳ２１−１の入力ポートＰ１をモニタポートＰｍ１に接続するということは、具体的には、λ１〜λ４４のどの波長の光が入力ポートＰ１から入力した場合でも、その入力波長の光がモニタポートＰｍ１へ向かうようにスイッチングすることになる。このため、ＷＳＳ２１−１内の全波長分のメッシュスイッチ１１ｃ（図２）を一律にモニタポートＰｍ１へスイッチングすることになる。
【００５５】
〔Ｓ４〕ＯＣＭ２３は、ＷＳＳ２１−１のモニタポートＰｍ１から出力された光と、ＷＳＳ２１−２のモニタポートＰｍ２から出力された光と、カプラＣｐから分岐された合波信号とをモニタする。
【００５６】
すなわち、現在サービスしている合波信号の中に、入力ポートＰ１〜Ｐ８及び入力ポートＰ９〜Ｐ１６から入力された波長（増設波長）の光と同じ波長の光が存在するか否かを判別する。
【００５７】
ここの例では、入力ポートＰ１から入力した波長の光と同じ波長の光が、合波信号に多重されているか否かを判別することになる。同一波長の光が存在しないと判別した場合はステップＳ５へいき、同一波長の光が存在すると判別した場合はステップＳ６へいく。
【００５８】
〔Ｓ５〕制御部２４は、ＷＳＳ２１−１の入力ポートＰ１に入力した波長の光を、送信ポートＰｏ１から出力するためのスイッチ指示をＷＳＳ２１−１に与える。ＷＳＳ２１−１では、スイッチ指示にもとづき、入力ポートＰ１と送信ポートＰｏ１との間の、増設波長の光が入力ポートＰ１から送信ポートＰｏ１へ向かう経路を接続する。
【００５９】
また、このとき、増設波長の光が所望レベルで送信ポートＰｏ１から出力されるように、減衰量を段階的に小さくして（徐々に光レベルを上げて）レベル調整を行いながらスイッチングする。さらに、入力ポートＰ１の増設波長以外の波長の光の経路は、モニタポートＰｍ１に向けて接続された状態なので、これらの接続はすべて切断する。
【００６０】
〔Ｓ６〕既設の同一波長の光と入れ替えるか否かを判別する。すなわち、増設波長の光と同じ波長の光が、合波信号で多重化されている波長の光の中に存在する場合、増設波長の光と、合波信号で多重化されている同一波長の光とを入れ替えるかということである（現在送信しているデータとは異なるデータを同じ波長の光によって送信したい場合など）。波長入れ替えを行う場合はステップＳ７へいき、行わない場合はステップＳ８へいく。
【００６１】
〔Ｓ７〕制御部２４は、既設の同一波長の光を切断する旨のスイッチ指示を該当のＷＳＳに与える。なお、制御部１４は、合波信号で多重化されている全波長の光について、どのＷＳＳのどの入力ポートから入力しているものかを認識している。
【００６２】
ここでは、例えば、ＷＳＳ２１−２の入力ポートＰ９に、増設波長の光と同じ波長の光が入力していたとすると、ＷＳＳ２１−２は、入力ポートＰ９と送信ポートＰｏ２との間の、既設同一波長の光が入力ポートＰ９から送信ポートＰｏ２へ向かう経路を切断する。
【００６３】
なお、この場合、瞬間的に切断するのではなく、既設同一波長の光の減衰量を段階的に大きくして（徐々に光レベルを下げて）レベル調整を行いながら切断する。その後、ステップＳ５へいく。
【００６４】
〔Ｓ８〕制御部２４は、ＷＳＳ２１−１の入力ポートＰ１に入力した波長の光を切断するためのスイッチ指示をＷＳＳ２１−１に与える。ＷＳＳ２１−１では、スイッチ指示にもとづき、入力ポートＰ１とモニタポートＰｍ１との間の、全波長の光が入力ポートＰ１からモニタポートＰｍ１へ向かう経路を切断する。
【００６５】
次にＷＤＭシステム１の波長断時の動作について説明する。図５は波長断時の動作を示すフローチャートである。なお、波長断とは、何らかの障害が発生するなどの理由で、合波信号の多重化波長の中のある波長の光が消失することを意味し、ユーザや保守者等が意図しない現象である。
【００６６】
〔Ｓ１１〕ＯＣＭ２３は、合波信号の多重化波長の光の中で、ある波長の光の断を検出する。ＯＣＭ２３は、波長断を検出した旨を制御部２４に通知する。
〔Ｓ１２〕制御部２４は、断が生じた光が入力していた入力ポートと、送信ポートとの接続を切断するスイッチ指示を該当ＷＳＳに対して行う。例えば、ＷＳＳ２１−１の入力ポートＰ２から入力していた光が断したものとすると、ＷＳＳ２１−１は、入力ポートＰ２と送信ポートＰｏ１との間の全波長の光の経路を切断する。
【００６７】
波長断が検出された場合では、断になった光が入力していた入力ポートと、送信ポートとの間の経路に障害が発生している可能性がある。このため、ＷＳＳ内部において、断となった波長の光経路のみを切断するのではなく、断になった光が入力していた入力ポートと、送信ポートとの間のすべての波長の光の経路を切断することで、新たな障害の発生を防止することが可能になる。
【００６８】
次にＷＤＭシステム１の波長減設時の動作について説明する。図６は波長減設時の動作を示すフローチャートである。なお、波長減設とは、ユーザや保守者等の操作によって、例えば、合波信号で現在多重化されている光の中で未使用とする波長の光を除去することを意味する。
【００６９】
〔Ｓ２１〕制御部２４は、合波信号の多重化波長の中で、ある波長の光の減設が設定されたことを認識する。
〔Ｓ２２〕制御部２４は、減設が設定された波長の光が入力していた入力ポートと、送信ポートとの接続を切断するスイッチ指示を該当ＷＳＳに対して行う。例えば、ＷＳＳ２１−１の入力ポートＰ２から入力していた光の減設を行うものとすると、ＷＳＳ２１−１は、入力ポートＰ２と送信ポートＰｏ１との間の、減設波長の光が入力ポートＰ２から送信ポートＰｏ１へ向かう経路を切断する。なお、この場合、減設波長の光の減衰量を段階的に大きくしてレベル調整を行いながら切断を行う。
【００７０】
ここで、ＷＳＳにおいて送信ポートから光を出力または出力停止する際には、ノード内の光アンプ（例えば、合波部２２の後段にある光ポストアンプなど）が誤動作しないように、レベル調整をしながらスイッチングを行う。
【００７１】
すなわち、ＷＳＳでは、入力ポートから送信ポートへの経路の接続を行う場合は、減衰量を段階的に小さくしながら（光レベルを徐々に大きくしながら）経路の接続を行う。また、入力ポートから送信ポートへの経路の切断を行う場合は、減衰量を段階的に大きくしながら（光レベルを徐々に小さくしながら）経路の切断を行う。このようなレベル調整を伴うＷＳＳのスイッチング制御を行うことにより、ＷＤＭシステムで使用される光アンプに対して、正常な応答特性で増幅を実行させることができ、光アンプの誤動作を抑止することが可能になる。
【００７２】
次にＰＤアレイを用いないＷＤＭシステムについて説明する。上記では、ＰＤアレイを用いて波長増設があった入力ポートを検出したが、この例では、一定周期で入力ポートに増設波長の光の入力があるか否かを監視するものである。
【００７３】
図７はＷＤＭシステムの構成を示す図である。ＷＤＭシステム１−１は、マスタノード１ａ−１とスレーブノード１ｂ−１を含む。マスタノード１ａ−１は、ＷＳＳ２１−１、合波部２２、ＯＣＭ２３、制御部２４ａ、ＷＳＳ２６、カプラＣｐ、Ｃ１、Ｃ２を備える。スレーブノード１ｂ−１は、ＷＳＳ２１−２、ＷＳＳ２７を備える。
【００７４】
制御部２４ａは、入力ポートＰ１〜Ｐ８、Ｐ９〜Ｐ１６のうちで、既に波長増設された入力ポートを除いた、波長増設がされていない入力ポートである未増設入力ポートに対して、未増設入力ポートに入力される全波長の光がモニタポートから出力できるように、未増設入力ポートとモニタポートとを一定周期毎に順次接続させるスイッチ指示を該当ＷＳＳに与える。
【００７５】
例えば、ＷＳＳ２１−１に対して、入力ポートＰ１〜Ｐ５には既に所定の波長の光が入力しており、入力ポートＰ６〜Ｐ８が未増設入力ポートであるとすると、入力ポートＰ６とモニタポートＰｍ１との接続→入力ポートＰ７とモニタポートＰｍ１との接続→入力ポートＰ８とモニタポートＰｍ１との接続→入力ポートＰ６とモニタポートＰｍ１との接続→・・・というような接続処理を一定周期毎に行って、ＯＣＭ２３にてモニタポートＰｍ１から出力される信号光のモニタを行う。
【００７６】
このような波長検出制御を行うことで、図３で上述したＰＤアレイを用いずに、ＷＳＳの入力ポートに接続した波長増設を検出することができ、これにより装置規模を削減することが可能になる。
【００７７】
次にＷＤＭシステム１−１の波長設定更新時の動作についてフローチャートを用いて説明する。図８、図９は波長設定更新時の動作を示すフローチャートである。
〔Ｓ３１〕ＷＳＳ２１−１、２１−２のそれぞれの入力ポートＰ１〜Ｐ８、Ｐ９〜Ｐ１６をＰｘと表記し（ｘ＝１〜１６）、ｘ＝１とする。
【００７８】
〔Ｓ３２〕制御部２４ａは、波長増設に関する波長設定更新処理を行うことを認識する。
〔Ｓ３３〕ｘ＝ｘ＋１とする。ただし、ｘ＞Ｎのときは、ｘ＝１とする。Ｎは最大ポート番号である。したがって、この例ではＮ＝１６であり、ｘ＞１６となったときは、ｘ＝１とする。
【００７９】
〔Ｓ３４〕入力ポートＰｘと送信ポートＰｏｙ（ｘ＝１〜８のときｙ＝１、ｘ＝９〜１６のときｙ＝２）との間で、入力ポートＰｘから送信ポートＰｏｙへ向かう光の経路が接続しているか否かを判別する。
【００８０】
入力ポートＰｘと送信ポートＰｏｙとの間で、いずれの波長の光も接続していない場合にはステップＳ３５へいき、いずれかの波長の光が接続している場合はステップＳ４２へいく。
【００８１】
〔Ｓ３５〕制御部２４ａは、該当ＷＳＳの入力ポートＰｘをモニタポートＰｍｙ（ｘ＝１〜８のときｙ＝１、ｘ＝９〜１６のときｙ＝２）に接続する。具体的には、増設可能な波長の光の中で、どの波長の光が入力ポートＰｘから入力した場合でも、その入力光がモニタポートＰｍｙへ向かうようにスイッチングすることになる。したがって、該当ＷＳＳ内の全波長分のメッシュスイッチ１１ｃ（図２）を一律にモニタポートＰｍｙへスイッチングする。
【００８２】
〔Ｓ３６〕ＯＣＭ２３は、モニタポートＰｍｙから出力された光と、カプラＣｐから分岐された合波信号とをモニタする。
〔Ｓ３７〕制御部２４ａは、波長増設がなされたか否かを判別する。波長増設が行われた場合はステップＳ３８へ、行われない場合はステップＳ４２へいく。
【００８３】
〔Ｓ３８〕ＯＣＭ２３は、入力ポートＰｘから入力した光と同じ波長の光が、合波信号に多重されているか否かを判別する。同一波長の光が存在しないと判別した場合はステップＳ３９へいき、同一波長の光が存在すると判別した場合はステップＳ４０へいく。
【００８４】
〔Ｓ３９〕制御部２４ａは、入力ポートＰｘに入力した波長の光を送信ポートＰｏｙから出力するためのスイッチ指示を該当ＷＳＳに与える。該当ＷＳＳでは、スイッチ指示にもとづき、入力ポートＰｘと送信ポートＰｏｙとの間の、増設波長の光が入力ポートＰｘから送信ポートＰｏｙへ向かう経路を接続する。また、このとき、増設波長の光が所望レベルで送信ポートＰｏｙから出力されるように、減衰量を段階的に小さくしてレベル調整する。さらに、入力ポートＰｘの増設波長以外の波長の光の経路は、モニタポートＰｍｙに向けて接続された状態なので、これらの接続はすべて切断する。
【００８５】
〔Ｓ４０〕既設の同一波長の光と入れ替えるか否かを判別する。波長入れ替えを行う場合はステップＳ４１へいき、行わない場合はステップＳ４２へいく。
〔Ｓ４１〕制御部２４ａは、既設の同一波長の光を切断する旨のスイッチ指示を該当のＷＳＳに与える。例えば、ＷＳＳ２１−２の入力ポートＰ９に、増設波長の光と同じ波長の光が入力していたとすると、ＷＳＳ２１−２は、入力ポートＰ９と送信ポートＰｏ２との間の、既設同一波長の光が入力ポートＰ９から送信ポートＰｏ２へ向かう経路を切断する。なお、この場合、瞬間的に切断するのではなく、既設同一波長の光の減衰量を段階的に大きくしてレベル調整を行いながら切断する。その後、ステップＳ３９へいく。
【００８６】
〔Ｓ４２〕制御部２４ａは、該当ＷＳＳの入力ポートＰｘに入力した光を切断するためのスイッチ指示を該当ＷＳＳに与える。該当ＷＳＳでは、スイッチ指示にもとづき、入力ポートＰｘとモニタポートＰｍｙとの間の、全波長の光が入力ポートＰｘからモニタポートＰｍｙへ向かう経路を切断する。
【００８７】
〔Ｓ４３〕制御部２４ａは、波長設定更新処理として、波長断または波長減設があったことを認識する。
〔Ｓ４４〕ＯＣＭ２３は、合波信号の多重化波長の信号光の中で、入力ポートＰｘから入力していた光が断したことを検出する。ＯＣＭ２３は、波長断を検出した旨を制御部２４ａに通知する。
【００８８】
〔Ｓ４５〕制御部２４ａは、断が生じた波長の光が入力していた入力ポートＰｘと送信ポートＰｏｙとの接続を切断するスイッチ指示を該当ＷＳＳに対して行う。例えば、ＷＳＳ２１−１の入力ポートＰ２から入力していた光が断したものとすると、ＷＳＳ２１−１は、入力ポートＰ２と送信ポートＰｏ１との間の、全波長の光が入力ポートＰ２から送信ポートＰｏ１へ向かう経路を切断する。そして、ステップＳ３３へいく。
【００８９】
〔Ｓ４６〕制御部２４ａは、合波信号の多重化波長の信号光の中で、入力ポートＰｘから入力していた波長の光が減設設定されたことを認識する。
〔Ｓ４７〕制御部２４ａは、減設が設定された波長の光が入力していた入力ポートＰｘと送信ポートＰｏｙとの接続を切断するスイッチ指示を該当ＷＳＳに対して行う。例えば、ＷＳＳ２１−１の入力ポートＰ２から入力していた波長の光が減設するものとすると、ＷＳＳ２１−１は、入力ポートＰ２と送信ポートＰｏ１との間の、減設波長の光が入力ポートＰ２から送信ポートＰｏ１へ向かう経路を切断する。なお、この場合、減設波長の光減衰量を段階的に大きくしてレベル調整を行いながら切断を行う。そして、ステップＳ３３へいく。
【００９０】
次にＷＤＭシステムの変形例について説明する。上述したＷＤＭシステム１、１−１では、ＷＳＳの本来入力ポートであった１本のポートをモニタポートとして使用したが、変形例の場合は、ＷＳＳにモニタポートを設けずに、新たなスイッチ・デバイスを設けてモニタポートを追加するものである。
【００９１】
図１０はＷＤＭシステムの構成を示す図である。ＷＤＭシステム１−２は、マスタノード１ａ−２とスレーブノード１ｂ−２を含む。マスタノード１ａ−２は、ＷＳＳ２１ａ、合波部２２、ＯＣＭ２３、制御部２４ｂ、ＰＤアレイ２５、ＷＳＳ２６ａ、カプラＣｐ、Ｃ１、Ｃ２、モニタスイッチｓｗ１を備える。スレーブノード１ｂ−２は、ＷＳＳ２１ｂ、ＷＳＳ２７ａ、ＰＤアレイ２８、モニタスイッチｓｗ２を備える。
【００９２】
モニタスイッチｓｗ１は、９本の入力ポートと１本の出力ポートを有し、９本の入力ポートはモニタ用入力ポートとしてそれぞれ、入力ポートＰ１〜Ｐ９に接続する。また、モニタスイッチｓｗ１の出力ポートは、モニタポートＰｍ１となって、ＯＣＭ２３と接続する。
【００９３】
また、モニタスイッチｓｗ１は、入力ポートＰ１〜Ｐ９のいずれかに光入力があった場合は、モニタ用入力ポートを介してその光の受信を行い、モニタポートＰｍ１からスイッチ出力する。
【００９４】
同様に、モニタスイッチｓｗ２は、９本の入力ポートと１本の出力ポートを有し、９本の入力ポートはモニタ用入力ポートとしてそれぞれ、入力ポートＰ１０〜Ｐ１８に接続する。また、モニタスイッチｓｗ２の出力ポートは、モニタポートＰｍ２となって、ＯＣＭ２３と接続する。
【００９５】
また、モニタスイッチｓｗ２は、入力ポートＰ１０〜Ｐ１８のいずれかに光入力があった場合は、モニタ用入力ポートを介してその光の受信を行い、モニタポートＰｍ２からスイッチ出力する。
【００９６】
なお、モニタスイッチｓｗ１、ｓｗ２はいずれも、制御部２４ｂのスイッチ指示にもとづきスイッチ制御を行う（スイッチ制御ラインは図示せず）。なお、その他の機能・動作については、図３で上述した内容と基本的に同じであるので説明は省略する。このように、モニタスイッチｓｗ１、ｓｗ２を別途設けることでも、図３で上述した制御を行うことが可能である。
【００９７】
次にＷＳＳの代わりにＯＸＣ（Optical Cross-Connect）を用いた場合について説明する。図１１、図１２はＯＸＣを用いてＷＤＭ伝送を行う構成を示す図である。図１１はＯＸＣによる波長多重化を示し、図１２はＯＸＣによる波長分離化を示している。なお、ＷＳＳによる波長多重化及び波長分離化との差異がわかりやすいように、これらの構成も図示している。
【００９８】
図１１のノードｎ３は、ＯＸＣ３１ａ、ＭＵＸ３２ａ、ＯＣＭ３３、制御部３４、ＰＤアレイ３５、カプラＣ３を備える。ＯＸＣ３１ａは、入力ポートＰ１〜Ｐｋに入力された光をスイッチングして送信ポートＰｏ１〜Ｐｏｋから出力し、ＭＵＸ３２ａへ送信する。ＭＵＸ３２ａは、ＯＸＣ３１ａの送信ポートＰｏ１〜Ｐｏｋから出力された光を多重化して合波信号（波長多重化信号）を生成して出力する。
【００９９】
カプラＣ３は、ＭＵＸ３２ａから出力された合成信号を２つに分岐する。ＯＣＭ３３は、ＯＸＣ３１ａのモニタポートＰｍ１から出力される光と、合波信号で多重化されている光とのモニタを行う。ＰＤアレイ３５は、ＯＸＣ３１ａの入力ポートＰ１〜Ｐｋのそれぞれに接続し、入力した光を検出すると検出信号を制御部３４へ送信する。
【０１００】
図１２のノードｎ３ａは、ＤＭＵＸ３２ｂ、ＯＸＣ３１ｂを含む。ＤＭＵＸ３２ｂは、受信した合波信号を波長分離して出力する。ＯＸＣ３１ｂは、分離後の波長の光をスイッチングして所定ポートからＤｒｏｐする（なお、上記では、多重・分離の構成がわかりやすいように、ノードｎ３、ｎ３ａと区別して記載したが、実際は同一ノード内に多重・分離機能が含まれるものである）。
【０１０１】
次にＯＸＣを用いたＷＤＭシステムにおける波長増設時の動作についてフローチャートを用いて説明する。図１３は波長増設時の動作を示すフローチャートである。
〔Ｓ５１〕波長増設として、入力ポートＰ１に新たな信号光が入力される（一例として、入力ポートＰ１に波長増設がなされたとする）。
【０１０２】
〔Ｓ５２〕ＰＤアレイ３５は、入力ポートＰ１に入力した信号光を検出し、検出信号を制御部３４に送信する。
〔Ｓ５３〕制御部３４は、ＯＸＣ３１ａの入力ポートＰ１をモニタポートＰｍ１に接続するスイッチ指示を与え、ＯＸＣ３１ａは、このスイッチ指示にもとづくスイッチングを行う。
【０１０３】
〔Ｓ５４〕ＯＣＭ３３は、ＯＸＣ３１ａのモニタポートＰｍ１から出力された光と、ＭＵＸ３２ａから出力された合波信号とをモニタする。ここの例では、入力ポートＰ１から入力した光と同じ波長の光が、合波信号に多重されているか否かを判別する。同一波長の光が存在しないと判別した場合はステップＳ５５へいき、同一波長の光が存在すると判別した場合はステップＳ５６へいく。
【０１０４】
〔Ｓ５５〕制御部３４は、ＯＸＣ３１ａの入力ポートＰ１に入力した光を所定の送信ポートから出力するためのスイッチ指示をＯＸＣ３１ａに与え、ＯＸＣ３１ａでは、スイッチ指示にもとづき、所定の送信ポートから増設波長の光を出力する。
【０１０５】
〔Ｓ５６〕既設の同一波長の光と入れ替えるか否かを判別する。波長入れ替えを行う場合はステップＳ５５へいき、行わない場合はステップＳ５７へいく。
〔Ｓ５７〕制御部３４は、ＯＸＣ３１ａの入力ポートＰ１に入力した光を切断するためのスイッチ指示をＯＸＣ３１ａに与える。ＯＸＣ３１ａでは、スイッチ指示にもとづき、入力ポートＰ１から入力される光をいずれの送信ポートからも出力させないように制御する（図１７で後述）。なお、波長断が生じた場合、または波長減設が行われる場合にも、該当入力ポートから入力される光が送信ポートから出力させないように制御する。
【０１０６】
このように、ＷＳＳの代わりにＯＸＣを用いてＷＤＭ伝送を行うことも可能である。ＷＳＳを用いる場合は、波長数を増やそうとするとＷＳＳの個数も増えることになる。したがって、波長数が多い場合には、上記のようにＡＷＧとＯＸＣとを組み合わせて波長多重化部を構成することにより、装置規模を縮小化できる。
【０１０７】
なお、ＯＸＣの場合は、単一ＯＸＣに同じ波長の光が入力してもよく、同一波長の光がＯＸＣの入力ポート群に入力する場合であっても、制御部３４で適切なスイッチ制御を行うことにより、波長多重化時での同一波長の光衝突を防止することができる。
【０１０８】
次にＰＤアレイを用いない場合について説明する。図１４はＯＸＣを用いてＷＤＭ伝送を行う構成を示す図である。なお、波長分離化は図１２の構成と同じなので、波長多重化構成のみ図で示している。図１４のノードｎ３−１は、ＯＸＣ３１ａ、ＭＵＸ３２ａ、ＯＣＭ３３、制御部３４ａ、カプラＣ３を備える。制御部３４ａは、一定周期毎に、入力ポートＰ１〜Ｐｋに対して波長増設があるか否かを検出し、波長増設がある場合には、波長増設に関するスイッチ制御を行う。
【０１０９】
次に波長設定更新時の動作についてフローチャートを用いて説明する。図１５、図１６は波長設定更新時の動作を示すフローチャートである。
〔Ｓ６１〕ＯＸＣ３１ａの入力ポートを入力ポートＰｘと表記し、ｘ＝１とする（１≦ｘ≦ｋ）。
【０１１０】
〔Ｓ６２〕制御部３４ａは、波長増設に関する波長設定更新処理を行うことを認識する。
〔Ｓ６３〕ｘ＝ｘ＋１とする。ただし、ｘ＞Ｎのときは、ｘ＝１とする。Ｎは最大ポート番号である（ここではＮ＝ｋである）。
【０１１１】
〔Ｓ６４〕入力ポートＰｘと送信ポートＰｏｙとの間で（１≦ｙ≦ｋ）、入力ポートＰｘから送信ポートＰｏｙへ向かう光の経路が接続しているか否かを判別する。入力ポートＰｘと送信ポートＰｏｙとの間で光経路がない場合にはステップＳ６５へいき、光経路がある場合はステップＳ７１へいく。
【０１１２】
〔Ｓ６５〕制御部３４ａは、ＯＸＣの入力ポートＰｘをモニタポートＰｍｙに接続する。
〔Ｓ６６〕ＯＣＭ３３は、モニタポートＰｍｙから出力された光と、ＭＵＸ３２ａから出力された合波信号とをモニタする。
【０１１３】
〔Ｓ６７〕制御部３４ａは、波長増設がなされたか否かを判別する。波長増設が行われた場合はステップＳ６８へ、行われない場合はステップＳ７１へいく。
〔Ｓ６８〕ＯＣＭ３３は、入力ポートＰｘから入力した光と同じ波長の光が、合波信号に多重されているか否かを判別する。同一波長の光が存在しないと判別した場合はステップＳ６９へいき、同一波長の光が存在すると判別した場合はステップＳ７０へいく。
【０１１４】
〔Ｓ６９〕制御部３４ａは、入力ポートＰｘに入力した光を所定の送信ポートＰｏｙから出力するためのスイッチ指示をＯＸＣ３１ａに与える。ＯＸＣ３１ａでは、スイッチ指示にもとづき、入力ポートＰｘと送信ポートＰｏｙとの間の、増設波長の光が入力ポートＰｘから送信ポートＰｏｙへ向かう経路を接続する。
【０１１５】
〔Ｓ７０〕既設の同一波長の光と入れ替えるか否かを判別する。波長入れ替えを行う場合はステップＳ６９へいき、行わない場合はステップＳ７１へいく。
〔Ｓ７１〕制御部３４ａは、入力ポートＰｘに入力した光を切断するためのスイッチ指示をＯＸＣ３１ａに与える。ＯＸＣ３１ａでは、スイッチ指示にもとづき、入力ポートＰｘからモニタポートＰｍｙへ向かう経路を切断する。
【０１１６】
〔Ｓ７２〕制御部３４ａは、波長設定更新処理として、波長断または波長減設があったことを認識する。
〔Ｓ７３〕ＯＣＭ３３は、合波信号の多重化波長の光の中で、入力ポートＰｘから入力していた光が断したことを検出する。ＯＣＭ３３は、波長断を検出した旨を制御部３４ａに通知する。
【０１１７】
〔Ｓ７４〕制御部３４ａは、断が生じた光が入力していた入力ポートＰｘと送信ポートＰｏｙとの接続を切断するスイッチ指示をＯＸＣ３１ａに対して行う。そして、ステップＳ６３へいく。
【０１１８】
〔Ｓ７５〕制御部３４ａは、合波信号の多重化波長の中で、入力ポートＰｘから入力していた光が減設設定されたことを認識する。
〔Ｓ７６〕制御部３４ａは、減設が設定された波長の光が入力していた入力ポートＰｘと送信ポートＰｏｙとの接続を切断するスイッチ指示をＯＸＣ３１ａに対して行う。そして、ステップＳ６３へいく。
【０１１９】
次に波長断及び波長減設などによって波長切断処理を行う際のＯＸＣのブロッキングについて説明する。図１７はＯＸＣによる切断波長のブロッキングの様子を示す図である。ノードｎ４は、ＯＸＣ４１、ＭＵＸ４２ａ、ＤＭＵＸ４２ｂ、ＯＣＭ４３、制御部４４、カプラＣ４、Ｃ５を備える。
【０１２０】
ＯＸＣ４１は、Ａｄｄ側入力ポートＰａｉ１〜Ｐａｉｋに入力（増設）された波長の光をスイッチングして所定のＡｄｄ側送信ポートＰａｏ１〜Ｐａｏｋから出力し、ＭＵＸ４２ａへ送信する。また、ＯＸＣ４１は、ＤＭＵＸ４２ｂから出力された光をＤｒｏｐ側入力ポートＰｄｉ１〜Ｐｄｉｋで受信して、所定のＤｒｏｐ側送信ポートＰｄｏ１〜ＰｄｏｋからＤｒｏｐする。
【０１２１】
ＭＵＸ４２ａは、ＯＸＣ４１のＡｄｄ側送信ポートＰａｏ１〜Ｐａｏｋから出力された光を多重化して合波信号（波長多重化信号）を生成して出力する。ＤＭＵＸ４２ｂは、合波信号を受信して波長を分離し、ＯＸＣ４１のＤｒｏｐ側入力ポートＰｄｉ１〜Ｐｄｉｋへ出力する。
【０１２２】
カプラＣ４は、ＭＵＸ４２ａから出力された合波信号を２分岐し、一方を外部へ送信し、他方をＯＣＭ４３へ送信する。カプラＣ５は、受信した合波信号を２分岐し、一方をＤＭＵＸ４２ｂへ送信し、他方をＯＣＭ４３へ送信する。
【０１２３】
ＯＣＭ４３は、ＯＸＣ４１のモニタポートＰｍ１から出力される光の波長と、合波信号で多重化されている光の波長とのモニタを行う。制御部４４は、一定周期毎に、入力ポートＰａｉ１〜Ｐａｉｋに対して波長増設があるか否かを検出し、波長増設がある場合には、波長増設に関するスイッチ制御を行う。
【０１２４】
ここで、入力ポートＰａｉ１から入力された光のブロッキングを行うとする。制御部４４は、ＯＸＣ４１に対して入力ポートＰａｉ１からの波長ブロッキングを指示する。ＯＸＣ４１は、このブロッキング指示を受けると、入力ポートＰａｉ１を、空いているＤｒｏｐ側送信ポート（例えば、Ｄｒｏｐ側送信ポートＰｄｏ３とする）へ折り返し接続し、入力ポートＰａｉ１から入力される光をすべてＤｒｏｐ側送信ポートＰｄｏ３から出力させる。なお、空いているＤｒｏｐ側送信ポートＰｄｏ３には、シャッタ付きコネクタＣｓを取り付けておき、Ｄｒｏｐ側送信ポートＰｄｏ３のポート端からの外部への発光を抑制することで安全性の確保を図る。
【０１２５】
このように、多重化波長の中にＡｄｄ波長と同一波長の光が存在すると認識された場合、制御部４４は、切断すべき波長の光をブロッキングするスイッチ指示ＯＸＣ４１を与え、ＯＸＣ４１は、スイッチ指示にもとづき、切断すべき光が入力している入力ポートを未使用の出力ポートに折り返し接続する。これにより、同一波長の光衝突の防止を行うことが可能になる。
【０１２６】
（付記１）  複数の入力ポートと、スイッチ後の光を波長多重して出力する送信ポートと、前記入力ポートから入力した光をモニタ用に出力するモニタポートと、を備えた複数の波長選択スイッチと、
前記複数の波長選択スイッチの各送信ポートから出力された光を合波して出力する合波部と、
前記モニタポートから出力される光と、前記合波部の出力光との波長をモニタするモニタ部と、
制御部と、
を備え、
前記波長選択スイッチは、前記制御部の指示にもとづいて、前記入力ポートから入力した光を前記モニタポートから出力し、
前記モニタ部は、前記合波部の出力光の波長の中に、前記モニタポートの出力光の波長と同一の波長が存在するか否かをモニタし、
前記制御部は、同一波長の光が存在しないと認識した場合には、前記モニタポートの出力光を前記送信ポートから出力させるように、前記波長選択スイッチのスイッチ制御を行う、
ことを特徴とする光伝送装置。
【０１２７】
（付記２）  前記入力ポートに入力する光を検出して検出信号を出力する光検出部をさらに備え、
前記制御部は、前記検出信号を受信すると、波長増設が検出された該当の前記入力ポートに入力される全波長の光が前記モニタポートから出力できるように、前記入力ポートと前記モニタポートとを接続させるスイッチ指示を与えることを特徴とする付記１記載の光伝送装置。
【０１２８】
（付記３）  前記制御部は、複数の前記入力ポートのうちで、既に波長増設された前記入力ポートを除いた、波長増設がされていない前記入力ポートである未増設入力ポートに対して、
前記未増設入力ポートに入力される全波長の光が前記モニタポートから出力できるように、前記未増設入力ポートと前記モニタポートとを一定周期毎に順次接続させるスイッチ指示を与えることを特徴とする付記１記載の光伝送装置。
【０１２９】
（付記４）  前記制御部は、同一波長の光が存在すると認識された場合であって、
前記入力ポートから入力した入力光を既設の同一波長の光と入れ替える場合には、前記波長選択スイッチに対して、前記既設の同一波長の光が入力する前記入力ポートから前記送信ポートへの、前記既設の同一波長の光の経路の接続を切断し、前記入力光が入力している前記入力ポートから前記送信ポートへの経路を接続するスイッチ制御を行い、
前記入力光を前記既設の同一波長の光と入れ替えない場合には、前記波長選択スイッチに対して、前記入力光が入力している前記入力ポートから前記モニタポートへの、全波長の光の経路の接続を切断するスイッチ制御を行う、
ことを特徴とする付記１記載の光伝送装置。
【０１３０】
（付記５）  前記制御部は、前記モニタ部により、前記合波部の出力光の中で、断となった波長の光が検出された場合、前記波長選択スイッチに対して、断が生じた波長の光が入力していた前記入力ポートから前記送信ポートへの、全波長の光の経路の接続を切断するスイッチ制御を行い、
前記制御部は、前記合波部の出力光の中で波長減設を認識した場合、減設が設定された波長の光が入力していた前記入力ポートから前記送信ポートへの、減設波長の光の経路の接続を切断するスイッチ制御を行う、
ことを特徴とする付記１記載の光伝送装置。
【０１３１】
（付記６）  前記波長選択スイッチは、前記入力ポートから前記送信ポートへの経路の接続を行う場合は、減衰量を段階的に小さくしながら経路の接続を行い、前記入力ポートから前記送信ポートへの経路の切断を行う場合は、減衰量を段階的に大きくしながら経路の切断を行うことを特徴とする付記１記載の光伝送装置。
【０１３２】
（付記７）  複数の入力ポートと、スイッチ後の光を出力する送信ポートとを備えた複数の波長選択スイッチと、
前記入力ポートのそれぞれと接続する複数のモニタ用入力ポートと、前記入力ポートから入力した光をモニタ用に出力するモニタポートと、を備え、前記波長選択スイッチ毎に配置される複数のモニタスイッチと、
前記複数の波長選択スイッチの各送信ポートから出力された光を合波して出力する合波部と、
前記モニタポートから出力される光と、前記合波部の出力光との波長をモニタするモニタ部と、
制御部と、
を備え、
前記モニタスイッチは、前記制御部の指示にもとづいて、前記入力ポートから入力した光を、前記モニタ用入力ポートを介して受信して、前記モニタポートから出力し、
前記モニタ部は、前記合波部の出力光の中に、前記モニタポートの出力光の波長と同一の波長が存在するか否かをモニタし、
前記制御部は、同一波長が存在しないと認識した場合には、前記モニタポートの出力光を前記送信ポートから出力させるように、前記波長選択スイッチのスイッチ制御を行う、
ことを特徴とする光伝送装置。
【０１３３】
（付記８）  複数の入力ポートと、スイッチ後の光を波長多重して出力する送信ポートと、前記入力ポートから入力した光をモニタ用に出力するモニタポートと、を備えた光クロスコネクトスイッチと、
前記光クロスコネクトスイッチの送信ポートから出力された光を合波して出力する合波部と、
前記モニタポートから出力される光と、前記合波部の出力光との波長をモニタするモニタ部と、
制御部と、
を備え、
前記光クロスコネクトスイッチは、前記制御部の指示にもとづいて、前記入力ポートから入力した光を前記モニタポートから出力し、
前記モニタ部は、前記合波部の出力光の波長の中に、前記モニタポートの出力光の波長と同一の波長が存在するか否かをモニタし、
前記制御部は、同一波長の光が存在しないと認識した場合には、前記モニタポートの出力光を前記送信ポートから出力させるように、前記光クロスコネクトスイッチのスイッチ制御を行う、
ことを特徴とする光伝送装置。
【０１３４】
（付記９）  前記制御部は、同一波長の光が存在すると認識された場合、切断すべき波長の光をブロッキングするスイッチ指示を与え、前記光クロスコネクトスイッチは、前記スイッチ指示にもとづき、切断すべき波長の光が入力している前記入力ポートを未使用の出力ポートに折り返し接続することを特徴とする付記８記載の光伝送装置。
【０１３５】
（付記１０）  前記入力ポートに入力する光を検出して検出信号を出力する光検出部をさらに備え、
前記制御部は、前記検出信号を受信すると、波長増設が検出された該当の前記入力ポートに入力される全波長の光が前記モニタポートから出力できるように、前記入力ポートと前記モニタポートとを接続させるスイッチ指示を与えることを特徴とする付記８記載の光伝送装置。
【０１３６】
（付記１１）  前記制御部は、複数の前記入力ポートのうちで、既に波長増設された前記入力ポートを除いた、波長増設がされていない前記入力ポートである未増設入力ポートに対して、
前記未増設入力ポートに入力される全波長の光が前記モニタポートから出力できるように、前記未増設入力ポートと前記モニタポートとを一定周期毎に順次接続させるスイッチ指示を与えることを特徴とする付記８記載の光伝送装置。
【０１３７】
（付記１２）  前記制御部は、前記モニタ部により、前記合波部の出力光の中で、断となった波長の光が検出された場合、前記光クロスコネクトスイッチに対して、断が生じた波長の光が入力していた前記入力ポートから前記送信ポートへの、全波長の光の経路の接続を切断するスイッチ制御を行い、
前記制御部は、前記合波部の出力光の中で波長減設を認識した場合、減設が設定された波長の光が入力していた前記入力ポートから前記送信ポートへの、減設波長の光の経路の接続を切断するスイッチ制御を行う、
ことを特徴とする付記８記載の光伝送装置。
【０１３８】
（付記１３）  前記制御部は、前記モニタ部により、前記合波部の出力光の中で、断となった波長の光が検出された場合、前記光クロスコネクトスイッチに対して、断が生じた波長の光が入力していた前記入力ポートから前記送信ポートへの、全波長の光の経路の接続を切断するスイッチ制御を行い、
前記制御部は、前記合波部の出力光の中で波長減設を認識した場合、減設が設定された波長の光が入力していた前記入力ポートから前記送信ポートへの、減設波長の光の経路の接続を切断するスイッチ制御を行う、
ことを特徴とする付記８記載の光伝送装置。
【符号の説明】
【０１３９】
１０  光伝送装置
１１−１〜１１−ｎ  波長選択スイッチ（ＷＳＳ）
１２  合波部
１３  モニタ部
１４  制御部
Ｃｐ  カプラ
Ｐ１〜Ｐｋ  入力ポート
Ｐｏ１〜Ｐｏｎ  送信ポート
Ｐｍ１〜Ｐｍｎ  モニタポート
【図１】
2010245993.tif 000003
【図２】
2010245993.tif 000004
【図３】
2010245993.tif 000005
【図４】
2010245993.tif 000006
【図５】
2010245993.tif 000007
【図６】
2010245993.tif 000008
【図７】
2010245993.tif 000009
【図８】
2010245993.tif 000010
【図９】
2010245993.tif 000011
【図１０】
2010245993.tif 000012
【図１１】
2010245993.tif 000013
【図１２】
2010245993.tif 000014
【図１３】
2010245993.tif 000015
【図１４】
2010245993.tif 000016
【図１５】
2010245993.tif 000017
【図１６】
2010245993.tif 000018
【図１７】
2010245993.tif 000019
【図１８】
2010245993.tif 000020
【図１９】
2010245993.tif 000021
【図２０】
2010245993.tif 000022
【図２１】
2010245993.tif 000023